(57)【特許請求の範囲】
【請求項１】
部分的に折られたブランク（１０）を搬送するように駆動される回転折りユニット（１１）と、容器の一部に接着剤を付与するための少くとも１つの接着剤用ノズル（１６）を備えた接着ユニット（１５）とを使用して、折ることのできるパッキング材でできた少くとも１つのブランク（１０）から矩形状の容器を製造するための装置であり、
ａ）前記接着ユニット（１５）は、回動駆動機構（１８）に装着されており、この駆動機構により、動作位置、即ち、接着剤付与位置で、接着剤用ノズル（１６）が回転折りユニット（１１）に対して傾斜位置となるようにして、回転折りユニット（１１）の外周に近接して、静止して位置され、
ｂ）前記回転折りユニット（１１）の駆動が停止されたときに、前記接着ユニット（１５）は、前記回動駆動機構（１８）により、前記動作位置、即ち、接着剤付与位置から待機位置へと移動可能であり、
ｃ）接着ユニット（１５）は、待機位置で、前記回動駆動機構（１８）により、前記接着剤用ノズル（１６）が直立位置となるように駆動され、接着剤用ノズル（１６）から間欠的に放出された接着剤が収集桶（１７）により集められるように、駆動され、
ｄ）前記回動駆動機構（１８）は、接着ユニット（１５）の動作位置と待機位置との間の移動のときに、この前記回動駆動機構（１８）の水平軸（２５）を中心として接着ユニット（１５）を回動させ、
ｅ）モニターユニット（３８）が、前記回動駆動機構（１８）と共同して、前記接着ユニット（１５）が動作位置、即ち、接着剤付与位置にない限りは、前記回転折りユニット（１１）の前記駆動の停止が解除されるのを防止することを特徴とする容器製造装置。
【請求項２】
ａ）前記接着ユニット（１５）の待機位置は、動作位置、即ち、接着剤付与位置よりも回転折りユニット（１１）からはなれており、
ｂ）前記接着ユニットの待機位置で、前記収集桶（１７）が、接着剤用ノズル（１６）から放出される接着剤のために接着剤用ノズル（１６）の下方に配置されていることを特徴とする請求項１の容器製造装置。
【請求項３】
前記回動駆動機構（１８）は、固定主ベアリング（２５）並びに固定枢支ベアリング（２６）により夫々一端が枢支されて回動可能な主レバー（２２）と枢支レバー（２４）を有する四棒リンク機構（１８）により構成され、前記主レバー（２２）と枢支レバー（２４）とは、前記接着ユニット（１５）に他端で枢支されており、これら主レバー（２２）と枢支レバー（２４）とは異なる長さを有して、接着ユニット（１５）が回転折りユニット（１１）に近接した傾斜位置からこの傾斜位置とはそれた直立位置に前記四棒リンク機構（１８）の駆動により移動可能なように装着されていることを特徴とする請求項１もしくは２の容器製造装置。
【請求項４】
前記接着ユニット（１５）を、前記回動駆動機構（１８）に対して、前記回転折りユニット（１１）の軸に平行な方向へ移動させて、待機位置から離れた位置に位置させる線形駆動機構（３４）を更に具備することを特徴とする請求項１ないし３のいずれか１の容器製造装置。
【請求項５】
前記線形駆動機構（３４）は、前記接着ユニット（１５）が装着された走行レール（３６）を有し、この走行レール（３６）は、接着ユニット（１５）を移動させるように固定スライダー（３５）内で移動可能であることを特徴とする請求項４の容器製造装置。
【発明の詳細な説明】
【０００１】
【発明の属する技術分野】
本発明は、紙や（薄い）ダンボール等のような折ることのできるパッキング材でできた少くとも１つのブランクから（矩形状の）容器を製造するための装置であり、容器の一部、特に、折りフラップに接着剤を付与するための少くとも１つの接着剤用ノズルを備えた接着ユニットを有する装置に関する。
【０００２】
【従来の技術】
接着剤により互いに接続される容器の一部、特に、折りフラップからの容器の製造において、特別な接着スポットの状態で容器のブランクに接着剤を非接触の方法で付与する接着ユニットが益々使用されている。
【０００３】
【発明が解決しようとする課題】
この形式のユニットの接着剤用ノズルは、容器製造装置の一時の停止の間に特別な取り扱いが必要である。実際には、故障は、タバコの容器製造装置を含む全ての容器製造装置で起こる。この場合に、接着剤用ノズルには、容器製造装置を再び始動させるときに、接着剤の硬化により、特に、ノズルの詰まりにより、動作しなくなる危険がある。
【０００４】
本発明の目的は、容器製造装置の一時的な故障の間に、接着ユニット、即ち、接着剤用ノズルが動作可能な状態を維持する、接着剤用ノズルを備えた接着ユニットを有する容器製造装置を提供することである。
【０００５】
本発明の容器製造装置は。部分的に折られたブランクを搬送するように駆動される回転折りユニットと、容器の一部に接着剤を付与するための少くとも１つの接着剤用ノズルを備えた接着ユニットとを使用して、折ることのできるパッキング材でできた少くとも１つのブランクから矩形状の容器を製造するための装置であり、
ａ）前記接着ユニットは、回動駆動機構に装着されており、この駆動機構により、動作位置、即ち、接着剤付与位置で、接着剤用ノズルが回転折りユニットに対して傾斜位置となるようにして、回転折りユニットの外周に近接して、静止して位置され、
ｂ）前記回転折りユニットの駆動が停止されたときに、前記接着ユニットは、前記回動駆動機構により、前記動作位置、即ち、接着剤付与位置から待機位置へと移動可能であり、
ｃ）接着ユニットは、待機位置で、前記回動駆動機構により、前記接着剤用ノズルが直立位置となるように駆動され、接着剤用ノズルから間欠的に放出された接着剤が収集桶により集められるように、駆動され、
ｄ）前記回動駆動機構は、接着ユニットの動作位置と待機位置との間の移動のときに、この前記回動駆動機構の水平軸を中心として接着ユニットを回動させ、
ｅ）モニターユニットが、前記回動駆動機構と共同して、前記接着ユニットが動作位置、即ち、接着剤付与位置にない限りは、前記回転折りユニットの前記駆動の停止が解除されるのを防止することを特徴とする。
【０００６】
かくして、この発明の思想は、減じられたサイクル数であるが、容器製造装置の故障等の停止のときでも接着剤用ノズルの機能は維持されている。このために、接着剤用ノズルは、容器に近接した動作位置、即ち、接着剤付与位置から移動されて、離れた待機位置で時々接着剤を放出するように駆動される。このようにして、ノズルでの接着剤の硬化が防止される。
【０００７】
好ましくは互いに近接して並べられた複数の接着剤用ノズルを備えた接着ユニットは、好ましくは、四棒リンク機構の形態の特別の規定機構に配設されている。この結果、接着ユニットは、特徴のある線に沿う移動、が可能、即ち、接着剤用ノズルが傾斜した動作位置、即ち、接着剤付与位置から横方向に変位し接着剤用ノズルが直立した位置に移動可能となっている。回転折りユニットから離れた待機位置で、接着ユニットは、接着剤用ノズルの間欠的な、特に、一定の位相駆動で動作状態が維持される。放出された接着剤は、例えば、桶により集められる。容器製造装置が再起動されると、接着ユニットは、動作位置、即ち、接着剤付与位置へと戻される。
【０００８】
本発明のさらなる特別な態様は、接着ユニットはサービス位置に（付加的に）移動可能であるという事実を含む。接着ユニットのこの位置は、個々の接着剤用ノズルへのアクセスが、洗浄、保守、テストを容易に果たすことができるように設定されている。このために、接着ユニットは、回転折りユニットの軸に平行に延びた線形ガイドにより好ましくは変位される。
【０００９】
本発明に係われば、収集桶の配置と同様に、接着ユニットの装着並びに駆動にも配慮されている。
【００１０】
【発明の実施の形態】
以下に本発明の実施例をソフトケース形式のタバコの容器の製造に関連して添付図面を参照して説明する。
【００１１】
この形式の容器において、紙もしくは同様のパック材でできたブランク１０は、容器の一部として箱形状の容器に折られる。図面では概略的に示されている回転折りユニット１１がこの機能を果たす。このような回転折りユニットは、例えば、ＤＥ  ３５  ４５  ８８４号に開示のように構成され得る。
【００１２】
断面が矩形の複数の折りマンドレル１２が、回転折りユニットの外周に沿って分布されている。これらマンドレルは、各々が１つのブランク１０を折るようになっている。折りマンドレル１２において、ブランクは箱に折られる。第１の折り工程（図１並びに図２）において、ブランク１０は、内側フラップ１３と外側フラップ１４とが搬送方向とは反対側に形成されるようにして、折りマンドレル１２の横方向外周にＵ字形状に巻かれる。これら内側フラップ１３と外側フラップ１４とを接続するために、径方向で外側に向いた内側フラップ１３の側面に接着剤が付与される。接着剤が付与された内側フラップ１３が折られた後に、外側フラップ１４は、内側フラップ１３の外側に折り重ねられて、これに接着剤により接続される。
【００１３】
接着ユニット１５は、前記内側フラップ１３に接着剤を付与する機能を果たす。このユニット１５は、折りマンドレル１２の移動路の外側にこれと近接して、回転折りユニット１１の外周に固定的に位置される。回転折りユニット１１の好ましい連続回転の間には、接着剤は、外側に向いた内側フラップ１３の側面に付与される。
【００１４】
この実施の形態において、接着剤のスポット、即ち、点状の接着剤の領域が内側フラップ１３に付与される。好ましくは、これら接着剤のスポットは、互いに近接し、内側フラップ１３の長手方向に一列に並んだ複数の接着剤のスポットである。一例として示されたこの実施の形態においては、７つの接着剤のスポットが折りフラップに付与される。
【００１５】
この目的のために、前記接着ユニット１５は、互いに近接して配置された複数の接着剤用ノズル１６を有する。回転折りユニット１１の軸方向、即ち、内側フラップ１３の長手方向に並べられたこれら接着剤用ノズル１６の各々は、内側フラップ１３に１つの接着剤のスポットを付与する。上述した接着剤のパターンの例では７つの接着剤用ノズル１６が、一体のユニットとして互いに近接して配置されている（図３）。
【００１６】
前記接着剤用ノズル１６は、ブランクの移動路に近接して、図１に示すような、作動位置、即ち、接着剤付与位置に配置されている。容器製造技術のガイドラインに基づいて、接着ユニット１５は、回転折りユニット１１の（仮想の）垂直中心面に対してそれて位置されている。この結果、接着剤が内側フラップ１３の面に垂直な方向で接着剤用ノズル１６から付与されるように、接着剤用ノズル１６は、傾斜面内に、即ち、傾斜した軸に沿って位置されている（図１）。
【００１７】
容器製造装置が停止する時、即ち、回転折りユニット１１の一時的な停止の間、もしくは、ブランク１０に折りマンドレル１２上で不都合が生じた場合、接着ユニット１５は、図１に示す作動位置、即ち、接着剤付与位置から、図２に示すような、回転折りユニット１１から離れた待機位置に移動される。この待機位置で、接着ユニット１５が動作する用意もしくは機能は維持される。このために、接着ユニット１５は、接着剤用ノズル１６から接着剤が間欠的に放出するように駆動される。かくして、接着剤付与工程としてのこの動作により、適当な動作シーケンスに関連して接着ユニット１５の動作サイクル数を減少できる。いかなる場合においても、接着ユニット１５のダミー操作を通して、これ、即ち、接着剤用ノズル１６の動作可能性は、容器製造装置が再び始動するまで、持続される。
【００１８】
接着ユニット１５から放出される接着剤は、収集桶１７に集められる。この収集桶１７は、固定して、即ち、接着剤用ノズル１６の下で、図２に示すように接着ユニット１５の待機位置に配置されている。
【００１９】
接着ユニット１５の待機位置で、接着剤用ノズル１６は、動作の維持を容易にするように直立状態（図２）に位置されている。これに加えて、接着剤用ノズル１６は、作動位置、即ち、接着剤付与位置に対して側方に僅かにそらされている。
【００２０】
特別な駆動装置は、接着ユニット１５の前記２つの位置間で対応した移動を果たすように機能する。この実施の形態では、この駆動装置は四棒リンク機構１８を有する。この機構は、駆動部材、実際は圧力シリンダー１９により、回動が調節される。このシリンダー１９は、ジョイント２０の所で下端が枢支されて回動可能となるように装着されている。ピストンロッド２１は、主レバー２２を介して四棒リンク機構１８に枢支されている。このピストンロッド２１の（上）端のための枢支支持体２３は、主レバー２２に形成されている。
【００２１】
前記四棒リンク機構１８は、第２のレバー、即ち、枢支レバー２４を有する。このレバー２４は、主レバー２２に対してそれて配置されており、また、図１に示す初期位置においては、主レバー２２とほぼ平行である。これら主レバー２２と枢支レバー２４とは、互いに近接した自由端が回動可能なようにして固定可能に装着されている。即ち、主レバー２２は、主ベアリング２５により、また枢支レバー２４は枢支ベアリング２６により回動可能に支持されている。一方では、主ベアリング２５の反対側に有り、他方では枢支ベアリング２６の反対側に有る主レバー２２と枢支レバー２４との端部は、互いに離間して接着ユニット１５に、ロックベアリング２７，２８を介して夫々枢支されている。
【００２２】
硬いブラケット２９は、主レバー２２並びに枢支レバー２４の自由端に、接着ユニット１５と共に枢支されている。枢支レバー２４のためのロックベアリング２８は、前記ブラケット２９の直立アーム３０に設けられている。
【００２３】
四棒リンク機構１８の反時計方向、即ち、図１から図２に示す方向の回動の間、主レバー２２のロックベアリング２７は、符号３１で示す部分円路に沿って移動される。そして、接着ユニット１５はこの移動に追従し、また、同時に、短い枢支レバー２４と、ロックベアリング２８の対応した部分円路に沿う回動との結果として、図２に示すように直立位置へと時計方向に回動される。主レバー２２と枢支レバー２４とは、運動力学に基づいて、互いに鋭角で傾斜される。上述した回動は、ピストンロッド２１を駆動することにより達成される。
【００２４】
前記四棒リンク機構１８、かくして、接着ユニット１５の最終位置は、ストッパーにより決定される。作動位置、即ち接着剤付与位置では、主レバー２２は、例えば、この装置のフレームの一部に接続された固定端部ストッパー３２に当接する。図２に示す上端位置、即ち、待機位置では、枢支レバー２４は、枢支ベアリング２６の領域に形成された端部ストッパー３３に当接する。
【００２５】
さらに、前記四棒リンク機構１８とは独立して、接着ユニット１５には、これを図３で一点鎖線で示すサービス位置に移動させるように調節する機能が与えられている。この位置に、接着ユニット１５は、保守、清掃、交換を果たすように容易にもたらされる。接着ユニット１５は、ここに、回転折りユニット１１の軸と平行に、かつ回転折りユニット１１から離れるように移動される。
【００２６】
この（付加の）移動を果たすために、接着ユニット１５は、線形駆動機構３４に接続されている。この機構３４は、スライダー３５と、長い走行レール３６とを有する。このスライダー３５と走行レール３６とは、互いに相対的に移動可能である。
【００２７】
一例として開示されたこの実施の形態において、一群として互いに近接して一列に配置された複数の接着剤用ノズル１６は、長い支持体３７に接続されている。この支持体３７は、前記走行レール３６の端面に接続されている。また、スライダー３５は、ここでは固定して装着され、主レバー２２もしくはこのロックベアリング２７に接続されている。この実施の形態において、スライダー３５は、ロックベアリング２７の領域でスリーブ４２に取着されている。このスリーブ４２内で回転可能なジャーナル４３は、主レバー２２に固着されている。
【００２８】
接着ユニット１５を待機位置からサービス位置に移動させるために、走行レール３６は、図３の左側に示す位置に達するまで、スライダー３５内で駆動される。接着ユニット１５は、ここまで、図示しない制御ユニットにより駆動され得る。（固定）スライダー３５は、Ｕ字形状で走行レールを囲んでいる。
【００２９】
上述した装置には、接着ユニット１５が図１に示すような動作位置、即ち、接着剤付与位置にないときに、容器製造装置、即ち、これの回転折りユニット１１が（再）始動するのを防止するモニターユニットが設けられている。このモニターユニットは、無接触スイッチ、即ち、所謂、イニシエータ３８を有している。このイニシエータは、四棒リンク機構１８と、この場合、主レバー２２と共同する。この主レバー２２は、下方位置に位置されており、回転折りユニット１１とイニシエータ３８の近くで対面している(図１)。この結果、接着ユニットが動作位置にきたときに、回転折りユニット１１を動作するように信号が発せられる。このイニシエータ３８は、この場合、前記端部ストップ３２に接続されている。上記のようにして、モニターユニットは、かくしてイニシエータ３８は、前記回動駆動機構１８と共同して、前記接着ユニット１５が動作位置、即ち、接着剤付与位置にない限りは、前記回転折りユニット１１の前記駆動の停止が解除されるのを防止する。
【００３０】
特別の態様が、収集桶１７の配置に関連してなされている。待機位置で、接着ユニット１５は、全ての接着剤用ノズル１６が収集桶１７上に正確に位置するようにして、配置されている。全ての接着剤用ノズル１６は、接着剤用ノズル１６の動作が維持されるようにして、所定のサイクルで駆動される。このプロセスで放出される接着剤は長い収集桶１７内に落下する。
【００３１】
この収集桶１７は、この場合、接着剤用ノズル１６がさらにサービス位置（図３の左側）の領域で収集桶１７の上方に位置するように、その長さが設定されている。従って、このサービス位置で、また、放出された接着剤は集められる。
【００３２】
前記収集桶１７は、装置のフレームに接続されたロッド形状の支持アーム３９の上に配設されている。この収集桶１７の下側、即ち、これの基部にはピン４０が配設されている。これらピン４０は、直径方向に延びた支持アーム３９の孔４１に夫々挿入される。かくして、収集桶１７は、空にするために支持装置から簡単に取り外すことができる。
【００３３】
接着ユニットの上述した実施の形態の変形例は、回転折りユニット１１の一時的な停止の間もしくはブランク１０が不都合になったときにでも、接着ユニット１５を図１に示す動作位置、即ち、接着剤付与位置に維持し、適当な収集容器を接着剤用ノズル１６の下方の位置へと移動させることである。この解決でもまた、接着剤用ノズル１６は、接着剤の放出のために時々駆動される。
【図面の簡単な説明】
【図１】本発明の一実施例に係わる容器製造装置の、駆動装置を備えた接着ユニットを、これの動作位置、即ち、接着剤付与位置で示す側面図である。
【図２】図１に示す接着ユニットを、引っ込んだ位置、即ち、待機位置で示す側面図である。
【図３】図１並びに図２に対して９０°変位した接着ユニットを一部断面して示す側面図である。
【符号の説明】
１０…ブランク、１１…回転折りユニット、１３…内側フラップ、１４…外側フラップ、１５…接着ユニット、１６…接着剤用ノズル、１８…四棒リンク機構、２２…主レバー、２４…枢支レバー。
【図１】
0003699259.tif 000002
【図２】
0003699259.tif 000003
【図３】
0003699259.tif 000004